(57)【要約】【課題】防水性の筐体を薄型化できる携帯端末を提供する。【解決手段】携帯端末１０は、カバー１４の一方の短辺壁１４Ｂにおける幅方向端部１４Ｆ側に設けられた第１貫通孔２１と、一方の短辺壁１４Ｂにおける第１貫通孔２１に隣接する位置に設けられた第２貫通孔２２と、第１貫通孔２１に挿入される筒部材４１と、筒部材４１に挿通されて第１貫通孔２１に連続する収容部２５に収容されるアンテナ部材４２と、第２貫通孔２２に挿通されるとともにカバー１４の内部２３において固定される固定部４６と、筒部材４１および固定部４６を連結する連結部４７と、収容部２５の上面２５Ａに設けられた開口２６と、開口２６を覆う防水シート３５とを備えている。【選択図】図４
2013172173.tif 000002
【特許請求の範囲】
【請求項１】
筐体と、
前記筐体の側面における幅方向端部側に設けられ、前記筐体の内外を連通する第１貫通孔と、
前記筐体の側面における前記第１貫通孔に隣接する位置に設けられ、前記筐体の内外を連通する第２貫通孔と、
前記第１貫通孔に挿入される筒部材と、
前記筒部材に挿通され、前記筐体の内部において前記第１貫通孔に連続する収容部に収容されるアンテナ部材と、
前記第２貫通孔に挿通されるとともに前記筐体に内部において固定される固定部と、
前記筒部材および前記固定部を連結する連結部と、
前記収容部の側面に設けられた開口と、
前記開口を覆う防水シートと、を備える携帯端末。
【発明の詳細な説明】
【技術分野】
【０００１】
本発明は、筐体の側面における幅方向端部側にアンテナ部材が固定部を介して取り付けられた携帯端末に関する。
【背景技術】
【０００２】
従来より、携帯端末は、アンテナ本体の基部に固定部がアンテナ軸線上に設けられ、固定部の接続孔および基板の取付孔にビスを貫通し、接続孔および取付孔を貫通したビスをボスにねじ結合することによりアンテナ本体が筐体に固定される。
アンテナ本体が筐体に固定された状態で、基板上に組み込まれた無線通信装置の無線部にピンを介してアンテナが導通される（例えば、特許文献１参照）。
【先行技術文献】
【特許文献】
【０００３】
【特許文献１】特開平１０−６５５６７号公報（段落００３４）
【発明の概要】
【発明が解決しようとする課題】
【０００４】
しかし、特許文献１の携帯端末では、アンテナ本体を固定するための固定部がアンテナ本体の軸線上に設けられている。
このため、筐体の幅方向端部に固定部を介してアンテナ本体を配置すると、固定部が筐体の幅方向端部内に配置され、筐体の幅方向端部を薄型化できない。
加えて、筐体およびアンテナ本体間の防水性を確保する必要があり、そのことが筐体の幅方向端部を薄型化する更なる妨げになっていた。
【０００５】
本発明は、前述した課題を解決するためになされたものであり、その目的は、防水性の筐体を薄型化できる携帯端末を提供することにある。
【課題を解決するための手段】
【０００６】
本発明の携帯端末は、筐体と、前記筐体の側面における幅方向端部側に設けられ、前記筐体の内外を連通する第１貫通孔と、前記筐体の側面における前記第１貫通孔に隣接する位置に設けられ、前記筐体の内外を連通する第２貫通孔と、前記第１貫通孔に挿入される筒部材と、前記筒部材に挿通され、前記筐体の内部において前記第１貫通孔に連続する収容部に収容されるアンテナ部材と、前記第２貫通孔に挿通されるとともに前記筐体に内部において固定される固定部と、前記筒部材および前記固定部を連結する連結部と、前記収容部の側面に設けられた開口と、前記開口を覆う防水シートと、を備える。
【０００７】
筐体の側面における幅方向端部側に第１貫通孔が設けられ、第１貫通孔に隣接する位置に第２貫通孔が設けられることにより、第１貫通孔および第２貫通孔が筐体の幅方向に沿って設けられている。
よって、第１貫通孔に挿入される筒部材と、第２貫通孔に挿通される固定部とが筐体の幅方向に沿って設けられることにより、アンテナ部材が筐体の幅方向端部側に配置される。
【０００８】
ここで、筒部材は、固定部と比較して断面形状を小さく抑えることができる。
これにより、アンテナ部材を筐体の幅方向端部側に配置することにより、筐体の端面形状が端部に向かって厚み寸法が減少する扁平形状であっても、アンテナ部材を収容可能に筐体の内部空間を有効活用できる。
【０００９】
さらに、第１貫通孔に連続し、かつ、アンテナ部材を収容可能な収容部を備え、収容部の側面に設けられた開口を防水シートで覆うようにした。
これにより、第１貫通孔および筒部材間の防水性を高める必要がないので、筐体の端面形状が端部に向かって厚み寸法が減少する扁平形状であっても、防水シートを取り付ける部位を確保できる。
【発明の効果】
【００１０】
本発明の携帯端末によれば、アンテナ部材および固定部を並列に配置し、アンテナ部材を筐体の幅方向端部側に配置した。これにより、筐体の端面形状が端部に向かって厚み寸法が減少する扁平形状であっても、筐体の端部にアンテナ部材を収容でき、筐体の厚み寸法を大きくする必要がなく、筐体を薄型化できる。
【００１１】
さらに、収容部の側面に設けた開口を防水シートで覆うことにより、扁平形状の筐体の端部に防水シートを取り付けることができ、筐体の厚み寸法を大きくすることなく防水性を確保できる。
【図面の簡単な説明】
【００１２】
【図１】本発明に係る携帯端末を示す分解斜視図
【図２】図１のカバーおよびアンテナユニットを示す斜視図
【図３】図２のカバーからアンテナユニットを分解した状態を示す分解斜視図
【図４】図３のアンテナユニットを示す斜視図
【図５】図４のアンテナユニットを示す平面図
【図６】図５のアンテナユニットを示す側面図
【図７】図５のＩ−Ｉ線断面図
【図８】本発明に係る携帯端末の収容部にアンテナ部材を収容した状態を示す断面図
【図９】本発明に係る携帯端末からアンテナ部材を引き出した状態を示す平面図
【図１０】図５のＩＩ−ＩＩ線断面図
【図１１】本発明に係る携帯端末の固定部を示す断面図
【図１２】本発明に係る携帯端末のアンテナユニットを示す断面図
【発明を実施するための形態】
【００１３】
以下、本発明の実施形態に係る携帯端末について図面を参照して説明する。
【００１４】
図１に示すように、携帯端末１０は、略箱状で、かつ扁平形状に形成された筐体１１と、筐体１１に設けられた状態で、筐体１１の内部に収納可能で、かつ筐体１１の内部から外部に引出し可能なアンテナユニット１２とを備えている。
【００１５】
筐体１１は、略矩形状に形成されたシャーシ１３（図１１も参照）と、シャーシ１３を収容可能なカバー１４とを備えている。
シャーシ１３は、カバー１４の開口１５に収納可能に略矩形状に形成されている。シャーシ１３の表面に表示部１６（図１１も参照）が形成され、表示部１６が保護カバー１７で覆われている。
【００１６】
図２、図３に示すように、カバー１４は、底部１４Ａおよび周壁（一対の短辺壁１４Ｂ、１４Ｃ、一対の長辺壁１４Ｄ、１４Ｅ）で略矩形状に形成され、内面が凹状に形成されている。
カバー１４は、端面形状（すなわち、一対の短辺壁１４Ｂの形状）が幅方向端部１４Ｆに向かって厚み寸法Ｔ（図１２参照）が減少する扁平形状に形成されている。
【００１７】
さらに、カバー１４は、カバー１４の一方の短辺壁（側面）１４Ｂに設けられた第１貫通孔２１（図１参照）、および第２貫通孔２２を備えている。
加えて、カバー１４は、カバー１４の内部（内部空間）２３に設けられた収容部２５と、収容部２５の上面（側面）２５Ａに設けられた開口２６と、収容部２５に隣接するボス２８とを備えている。
【００１８】
第１貫通孔２１は、図１に示すように、カバー１４の一方の短辺壁１４Ｂにおける幅方向端部１４Ｆ側に設けられ、カバー１４の内部２３および外部を連通する孔である。
第２貫通孔２２は、図２に示すように、一方の短辺壁１４Ｂにおける第１貫通孔２１に隣接する位置に設けられ、カバー１４の内部２３および外部を連通する孔である。
【００１９】
収容部２５は、カバー１４の内部２３において、一方の短辺壁１４Ｂにおける幅方向端部１４Ｆ側から一方の長辺壁１４Ｄに沿って中空状に延出され、内部に収容空間３２（図８参照）が形成されている。
収容部２５の収容空間３２は第１貫通孔２１に連続（連通）されている。
収容部２５の上面２５Ａに開口２６（図３参照）が設けられ、開口２６が防水シート３５で覆われている。
【００２０】
防水シート３５は、略長方形状の薄膜状に形成され、収容部２５の上面２５Ａに接着されている。よって、防水シート３５を設ける空間を大きく確保することなく、収容部２５の上面２５Ａに接着することが可能である。
ボス２８は、カバー１４の内部２３において、第２貫通孔２２および収容部２５に隣接する底部１４Ａに設けられている。
【００２１】
アンテナユニット１２は、カバー１４に固定された状態で、図示しない基板上に組み込まれた無線通信装置の無線部に導通されている。
図４、図５に示すように、アンテナユニット１２は、第１貫通孔２１に挿入される筒部材４１と、筒部材４１に挿通されたアンテナ部材４２と、第２貫通孔２２に挿通される固定部４６と、筒部材４１および固定部４６を連結する連結部４７と、連結部４７および筒部材４１間に設けられたＯリング４８とを備えている。
【００２２】
筒部材４１は、第１貫通孔２１に挿入され、アンテナ本体４３が挿通可能は中空状に形成されている（図１２も参照）。
ここで、筒部材４１は、固定部４６と比較して断面形状を小さく抑えることができる。
よって、第１貫通孔２１は第２貫通孔２２より孔径寸法を小さく抑えることができる。
【００２３】
図６、図７に示すように、アンテナ部材４２は、ロッド状に形成されて基部に膨出部４３Ａを備えたアンテナ本体４３と、アンテナ本体４３の先端部４３Ｂに設けられたストッパ４４とを備えている。
アンテナ本体４３は、図８に示すように、収容部２５の収容空間３２に収容可能に形成されている。
【００２４】
図９に示すように、アンテナ本体４３を収容部２５（図８参照）から引き出すことにより筐体１１（カバー１４）の一方の短辺壁１４Ｂから突出させることができる。
図６に示すように、アンテナ本体４３に膨出部４３Ａを備えることにより、アンテナ本体４３が筒部材４１から抜け出すことを防止できる。
【００２５】
固定部４６は、図４、図１０に示すように、第２貫通孔２２に挿通可能で、かつ平板状に形成され、略中央に取付孔４６Ａが形成されている。
図１１、図１２に示すように、固定部４６が第２貫通孔２２に挿通された状態でボス２８の上端２８Ａに載置され、取付孔４６Ａに貫通されたビス５１でボス２８に取り付けられることにより、カバー１４の内部２３において固定されている。
この状態において、第２貫通孔２２がＯリング４８で閉塞された状態に保たれる。
【００２６】
以上説明したように、カバー１４の一対の短辺壁１４Ｂ（図１参照）における幅方向端部１４Ｆ側に第１貫通孔２１が設けられ、第１貫通孔２１に隣接する位置に第２貫通孔２２が設けられている。すなわち、第１貫通孔２１および第２貫通孔２２がカバー１４の幅方向に沿って設けられている。
よって、第１貫通孔２１に挿入される筒部材４１と、第２貫通孔２２に挿通される固定部４６とがカバー１４の幅方向に沿って設けられる。
【００２７】
ここで、筒部材４１（すなわち、アンテナ部材４２）は、固定部４６と比較して断面形状を小さく抑えられている。
よって、第１貫通孔２１が第２貫通孔２２より孔径寸法を小さく抑えられている。
さらに、固定部４６をボス２８に取り付けるビス５１を幅方向端部１４Ｆから離すことができる。
【００２８】
これにより、アンテナ部材４２をカバー１４の幅方向端部１４Ｆ側に配置することにより、カバー１４の端面形状が端部１４Ｆに向かって厚み寸法Ｔが減少する扁平形状であっても、アンテナ部材４２を収容可能にカバー１４の内部２３を有効活用できる。
従って、カバー１４の厚み寸法Ｔを大きくする必要がなく、カバー１４（すなわち、筐体１１）を薄型化できるので、筐体１１の意匠の自由度を確保できる。
【００２９】
さらに、図８、図１２に示すように、第１貫通孔２１に連続し、かつ、アンテナ部材４２を収容可能な収容部２５を備えた。さらに、収容部２５の上面２５Ａに設けられた開口２６を防水シート３５で覆うようにした。
【００３０】
これにより、第１貫通孔２１および筒部材４１間の防水性を高める必要がないので、カバー１４の端面形状が幅方向端部１４Ｆに向かって厚み寸法Ｔが減少する扁平形状であっても、防水シート３５を取り付ける部位を確保できる。
従って、カバー１４（筐体１１）の厚み寸法Ｔを大きくする必要がなく、防水性を確保できる。すなわち、筐体１１の意匠の自由度を確保し、かつ防水性を確保できる。
【００３１】
なお、本発明に係る携帯端末は、前述した実施形態に限定されるものではなく適宜変更、改良等が可能である。
例えば、前記実施形態で使用した携帯端末、筐体、カバー、第１貫通孔、第２貫通孔、防水シート、筒部材、アンテナ部材、固定部および連結部等の形状や構成は例示したものに限定するものではなく適宜変更が可能である。
【産業上の利用可能性】
【００３２】
本発明は、筐体の側面における幅方向端部側にアンテナ部材が固定部を介して取り付けられ、アンテナ部材が無線通信装置の無線部に導通された携帯端末への適用に好適である。
【符号の説明】
【００３３】
１０  携帯端末
１１  筐体
１４  カバー
１４Ｂ  カバーの一方の短辺壁（筐体の側面）
１４Ｆ  幅方向端部
２１  第１貫通孔
２２  第２貫通孔
２３  カバーの内部
２５  収容部
２５Ａ  収容部の上面（側面）
３５  防水シート
４１  筒部材
４２  アンテナ部材
４６  固定部
４７  連結部
【図１】
2013172173.tif 000003
【図２】
2013172173.tif 000004
【図３】
2013172173.tif 000005
【図４】
2013172173.tif 000006
【図５】
2013172173.tif 000007
【図６】
2013172173.tif 000008
【図７】
2013172173.tif 000009
【図８】
2013172173.tif 000010
【図９】
2013172173.tif 000011
【図１０】
2013172173.tif 000012
【図１１】
2013172173.tif 000013
【図１２】
2013172173.tif 000014